【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
帳票フォームデータに設定されるオブジェクトの領域を、文字認識処理を行う領域として設定された、当該文字認識処理に用いられる文字認識テンプレートを生成する情報処理装置であって、
当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付手段と、
前記受付手段により当該属性情報の設定を受け付けたオブジェクトについて、前記受付手段で受け付けた当該オブジェクトに係る属性情報が設定された帳票フォームデータを作成する帳票フォームデータ作成手段と、
前記帳票フォームデータ作成手段により作成される帳票フォームデータに設定されるオブジェクトについて前記受付手段により受け付けた設定情報に従って、当該オブジェクトが文字認識処理を行うオブジェクトである場合、前記帳票フォームデータ作成手段により作成される帳票フォームデータに設定される当該オブジェクトに係る属性情報に従って、当該オブジェクトの文字認識に係る属性情報を示す文字認識属性情報を生成する属性情報生成手段と、
前記属性情報生成手段により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成手段と、
を備えることを特徴とする情報処理装置。
【請求項２】
前記属性情報生成手段は、当該オブジェクトが文字認識処理を行うオブジェクトではない場合、前記帳票フォームデータ作成手段により作成される帳票フォームデータに設定される当該オブジェクトに係る属性情報に従って、当該オブジェクトの文字認識に係る属性情報を示す文字認識属性情報を生成しないように制御することを特徴とする請求項１に記載の情報処理装置。
【請求項３】
前記受付手段は、さらに、前記帳票フォームデータに対する文字認識テンプレートを生成するかを示すテンプレート設定情報の設定を受け付け、
前記受付手段で受け付けたテンプレート設定情報に従って、前記帳票フォームデータに対する文字認識テンプレートを生成するかを判定するテンプレート生成判定手段と、
前記テンプレート生成手段は、前記テンプレート生成判定手段で、前記帳票フォームデータに対する文字認識テンプレートを生成しないと判定された場合には、前記帳票フォームデータに対する文字認識テンプレートを生成しないように制御することを特徴とする請求項１又は２に記載の情報処理装置。
【請求項４】
前記テンプレート生成手段は、前記テンプレート生成判定手段で、前記帳票フォームデータに対する文字認識テンプレートを生成すると判定された場合には、前記帳票フォームデータに対する文字認識テンプレートを生成することを特徴とする請求項３に記載の情報処理装置。
【請求項５】
帳票フォームデータに設定されるオブジェクトの領域を、文字認識処理を行う領域として設定された、当該文字認識処理に用いられる文字認識テンプレートを生成する情報処理装置における情報処理方法であって、
受付手段が、当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付工程と、
作成手段が、前記受付工程により当該属性情報の設定を受け付けたオブジェクトについて、前記受付工程で受け付けた当該オブジェクトに係る属性情報が設定された帳票フォームデータを作成する帳票フォームデータ作成工程と、
属性情報生成手段が、前記帳票フォームデータ作成工程により作成される帳票フォームデータに設定されるオブジェクトについて前記受付工程により受け付けた設定情報に従って、当該オブジェクトが文字認識処理を行うオブジェクトである場合、前記帳票フォームデータ作成工程により作成される帳票フォームデータに設定される当該オブジェクトに係る属性情報に従って、当該オブジェクトの文字認識に係る属性情報を示す文字認識属性情報を生成する属性情報生成工程と、
テンプレート生成手段が、前記属性情報生成工程により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成工程と、
を備えることを特徴とする情報処理方法。
【請求項６】
帳票フォームデータに設定されるオブジェクトの領域を、文字認識処理を行う領域として設定された、当該文字認識処理に用いられる文字認識テンプレートを生成する情報処理装置が読み取り実行可能なプログラムあって、
前記情報処理装置を、
当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付手段と、
前記受付手段により当該属性情報の設定を受け付けたオブジェクトについて、前記受付手段で受け付けた当該オブジェクトに係る属性情報が設定された帳票フォームデータを作成する帳票フォームデータ作成手段と、
前記帳票フォームデータ作成手段により作成される帳票フォームデータに設定されるオブジェクトについて前記受付手段により受け付けた設定情報に従って、当該オブジェクトが文字認識処理を行うオブジェクトである場合、前記帳票フォームデータ作成手段により作成される帳票フォームデータに設定される当該オブジェクトに係る属性情報に従って、当該オブジェクトの文字認識に係る属性情報を示す文字認識属性情報を生成する属性情報生成手段と、
前記属性情報生成手段により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成手段として機能させることを特徴とするプログラム。
【手続補正２】
【補正対象書類名】明細書
【補正対象項目名】０００１
【補正方法】変更
【補正の内容】
【０００１】
本発明は、情報処理装置、情報処理方法及びプログラムに関し、特に、文字認識処理に用いられる文字認識テンプレートを生成する技術に関するものである。
【手続補正３】
【補正対象書類名】明細書
【補正対象項目名】０００７
【補正方法】変更
【補正の内容】
【０００７】
本発明の目的は、帳票フォームデータのオブジェクトに係る属性情報、及び当該オブジェクトについて文字認識処理を行うかを示す設定情報を受け付け、当該オブジェクトに当該オブジェクトに係る属性情報が設定された帳票フォームデータを作成し、当該設定情報に従って、当該オブジェクトが文字認識処理を行うオブジェクトである場合に、当該オブジェクトに係る属性情報に従って、当該オブジェクトの文字認識に係る属性情報を示す文字認識属性情報を生成し、当該生成された文字認識属性情報が設定されるオブジェクトの領域を、文字認識処理を行う領域として設定された文字認識テンプレートを生成することにより、ユーザによる当該文字認識属性情報の入力作業を軽減させることである。
【手続補正４】
【補正対象書類名】明細書
【補正対象項目名】０００８
【補正方法】変更
【補正の内容】
【０００８】
本発明は、帳票フォームデータに設定されるオブジェクトの領域を、文字認識処理を行う領域として設定された、当該文字認識処理に用いられる文字認識テンプレートを生成する情報処理装置であって、当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付手段と、前記受付手段により当該属性情報の設定を受け付けたオブジェクトについて、前記受付手段で受け付けた当該オブジェクトに係る属性情報が設定された帳票フォームデータを作成する帳票フォームデータ作成手段と、前記帳票フォームデータ作成手段により作成される帳票フォームデータに設定されるオブジェクトについて前記受付手段により受け付けた設定情報に従って、当該オブジェクトが文字認識処理を行うオブジェクトである場合、前記帳票フォームデータ作成手段により作成される帳票フォームデータに設定される当該オブジェクトに係る属性情報に従って、当該オブジェクトの文字認識に係る属性情報を示す文字認識属性情報を生成する属性情報生成手段と、前記属性情報生成手段により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成手段と、を備えることを特徴とする。
【手続補正５】
【補正対象書類名】明細書
【補正対象項目名】０００９
【補正方法】変更
【補正の内容】
【０００９】
本発明は、帳票フォームデータに設定されるオブジェクトの領域を、文字認識処理を行う領域として設定された、当該文字認識処理に用いられる文字認識テンプレートを生成する情報処理装置における情報処理方法であって、受付手段が、当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付工程と、作成手段が、前記受付工程により当該属性情報の設定を受け付けたオブジェクトについて、前記受付工程で受け付けた当該オブジェクトに係る属性情報が設定された帳票フォームデータを作成する帳票フォームデータ作成工程と、属性情報生成手段が、前記帳票フォームデータ作成工程により作成される帳票フォームデータに設定されるオブジェクトについて前記受付工程により受け付けた設定情報に従って、当該オブジェクトが文字認識処理を行うオブジェクトである場合、前記帳票フォームデータ作成工程により作成される帳票フォームデータに設定される当該オブジェクトに係る属性情報に従って、当該オブジェクトの文字認識に係る属性情報を示す文字認識属性情報を生成する属性情報生成工程と、テンプレート生成手段が、前記属性情報生成工程により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成工程と、を備えることを特徴とする。
【手続補正６】
【補正対象書類名】明細書
【補正対象項目名】００１０
【補正方法】変更
【補正の内容】
【００１０】
本発明は、帳票フォームデータに設定されるオブジェクトの領域を、文字認識処理を行う領域として設定された、当該文字認識処理に用いられる文字認識テンプレートを生成する情報処理装置が読み取り実行可能なプログラムあって、前記情報処理装置を、当該帳票フォームデータを作成する際に表示される表示画面を介して、当該帳票フォームデータに設定されるオブジェクトについて、当該オブジェクトに係る属性情報、及び当該オブジェクトについて文字認識処理を行うかを示す設定情報の設定を受け付ける受付手段と、前記受付手段により当該属性情報の設定を受け付けたオブジェクトについて、前記受付手段で受け付けた当該オブジェクトに係る属性情報が設定された帳票フォームデータを作成する帳票フォームデータ作成手段と、前記帳票フォームデータ作成手段により作成される帳票フォームデータに設定されるオブジェクトについて前記受付手段により受け付けた設定情報に従って、当該オブジェクトが文字認識処理を行うオブジェクトである場合、前記帳票フォームデータ作成手段により作成される帳票フォームデータに設定される当該オブジェクトに係る属性情報に従って、当該オブジェクトの文字認識に係る属性情報を示す文字認識属性情報を生成する属性情報生成手段と、前記属性情報生成手段により生成された文字認識属性情報が設定されるオブジェクトの領域を、当該文字認識属性情報を用いて文字認識処理を行う領域として設定された、前記帳票フォームデータに対する文字認識テンプレートを生成するテンプレート生成手段として機能させることを特徴とする。
【手続補正７】
【補正対象書類名】明細書
【補正対象項目名】００１１
【補正方法】変更
【補正の内容】
【００１１】
本発明によれば、帳票フォームデータのオブジェクトに係る属性情報、及び当該オブジェクトについて文字認識処理を行うかを示す設定情報を受け付け、当該オブジェクトに当該オブジェクトに係る属性情報が設定された帳票フォームデータを作成し、当該設定情報に従って、当該オブジェクトが文字認識処理を行うオブジェクトである場合に、当該オブジェクトに係る属性情報に従って、当該オブジェクトの文字認識に係る属性情報を示す文字認識属性情報を生成し、当該生成された文字認識属性情報が設定されるオブジェクトの領域を、文字認識処理を行う領域として設定された文字認識テンプレートを生成することにより、ユーザによる当該文字認識属性情報の入力作業を軽減させることができる。